(57)【要約】【課題】ラベル及びレシートを一度の計量で同時に発行することができる電子秤装置及びプログラムを提供する。【解決手段】レシートを印字発行する第１の印刷部と、ラベルを印字発行する第２の印刷部と、商品の重量を計量して計量値データを出力する計量部と、単位重量当たりの単価が予め設定されていて重量に応じて値段が決定される商品の前記単価および前記計量部から出力された当該商品の前記計量値データを用いて、前記商品の価格を算出する価格算出手段と、前記価格算出手段によって価格を算出した前記商品に関する情報を含む印字用データを作成するデータ作成手段と、前記印字用データに応じて前記第１の印刷部を制御してレシートを印字発行するレシート発行手段と、前記印字用データに応じて前記第２の印刷部を制御してラベルを印字発行するラベル発行手段と、を備える。【選択図】図１
2015127645.tif 000002
【特許請求の範囲】
【請求項１】
レシートを印字発行する第１の印刷部と、
ラベルを印字発行する第２の印刷部と、
商品の重量を計量して計量値データを出力する計量部と、
単位重量当たりの単価が予め設定されていて重量に応じて値段が決定される商品の前記単価および前記計量部から出力された当該商品の前記計量値データを用いて、前記商品の価格を算出する価格算出手段と、
前記価格算出手段によって価格を算出した前記商品に関する情報を含む印字用データを作成するデータ作成手段と、
前記印字用データに応じて前記第１の印刷部を制御してレシートを印字発行するレシート発行手段と、
前記印字用データに応じて前記第２の印刷部を制御してラベルを印字発行するラベル発行手段と、
を備えることを特徴とする電子秤装置。
【請求項２】
前記データ作成手段は、前記印字用データとして、前記第１の印刷部に対するレシート印字用データと、前記第２の印刷部に対するラベル印字用データと、をそれぞれ作成する、
ことを特徴とする請求項１記載の電子秤装置。
【請求項３】
前記ラベル発行手段は、前記第２の印刷部を制御して前記ラベルを印字発行するか否かを、選択的に実行可能である、
ことを特徴とする請求項１または２記載の電子秤装置。
【請求項４】
操作者により指定された位置座標を認識する座標入力部を備えていて画像が表示出力される表示部を更に備え、
前記ラベル発行手段は、前記表示部に前記ラベルを印字発行するか否かを選択させるオブジェクトを表示し、前記座標入力部を介した当該オブジェクトに対する操作に応じて前記ラベルを印字発行するか否かを選択させる、
ことを特徴とする請求項３記載の電子秤装置。
【請求項５】
前記ラベル発行手段は、前記ラベルを印字発行するか否かが運用に応じて予め決められたファイルに基づき、前記ラベルを印字発行するか否かを運用に応じて決定する決定手段を備える、
ことを特徴とする請求項３記載の電子秤装置。
【請求項６】
レシートを印字発行する第１の印刷部と、ラベルを印字発行する第２の印刷部と、商品の重量を計量して計量値データを出力する計量部と、を備える電子秤装置を制御するコンピュータを、
単位重量当たりの単価が予め設定されていて重量に応じて値段が決定される商品の前記単価および前記計量部から出力された当該商品の前記計量値データを用いて、前記商品の価格を算出する価格算出手段と、
前記価格算出手段によって価格を算出した前記商品に関する情報を含む印字用データを作成するデータ作成手段と、
前記印字用データに応じて前記第１の印刷部を制御してレシートを印字発行するレシート発行手段と、
前記印字用データに応じて前記第２の印刷部を制御してラベルを印字発行するラベル発行手段と、
として機能させるためのプログラム。
【発明の詳細な説明】
【技術分野】
【０００１】
本発明の実施形態は、電子秤装置及びプログラムに関する。
【背景技術】
【０００２】
従来、商品の重量を計量する電子秤装置として、ある商品を計量した場合にその計量値に基づいて計量した商品の金額を算出するようにした電子秤装置がある。このような電子秤装置は、例えば、スーパーマーケットの惣菜部門等において利用されている。電子秤装置は、金額を算出することができる商品についてＰＬＵファイル（Price  Look  Up  File）を備え、このＰＬＵファイル中の単価と計量値との積算によって計量された商品の金額を算出する。
【０００３】
このような電子秤装置によれば、ラベル発行又はレシート発行のどちらか一方が発行されるように設定されている。
【発明の概要】
【発明が解決しようとする課題】
【０００４】
本発明が解決しようとする課題は、ラベル及びレシートを一度の計量で同時に発行することができる電子秤装置及びプログラムを提供することである。
【課題を解決するための手段】
【０００５】
実施形態の電子秤装置は、レシートを印字発行する第１の印刷部と、ラベルを印字発行する第２の印刷部と、商品の重量を計量して計量値データを出力する計量部と、単位重量当たりの単価が予め設定されていて重量に応じて値段が決定される商品の前記単価および前記計量部から出力された当該商品の前記計量値データを用いて、前記商品の価格を算出する価格算出手段と、前記価格算出手段によって価格を算出した前記商品に関する情報を含む印字用データを作成するデータ作成手段と、前記印字用データに応じて前記第１の印刷部を制御してレシートを印字発行するレシート発行手段と、前記印字用データに応じて前記第２の印刷部を制御してラベルを印字発行するラベル発行手段と、を備える。
【図面の簡単な説明】
【０００６】
【図１】図１は、実施形態にかかる電子秤装置をオペレータ側から示す外観斜視図である。
【図２】図２は、電子秤装置に内蔵される各部の電気的接続を示すブロック図である。
【図３】図３は、ＰＬＵファイルの内容を概念的に示す模式図である。
【図４】図４は、電子秤装置における売上処理にかかる機能ブロック図である。
【図５】図５は、売上処理の流れを示すフローチャートである。
【発明を実施するための形態】
【０００７】
以下、添付図面を参照して、電子秤装置及びプログラムの実施形態を詳細に説明する。なお、以下に説明する実施形態は、電子秤装置及びプログラムの一実施形態であって、その構成や仕様等を限定するものではない。本実施形態は、スーパーマーケット等の店舗に導入され、商品の計量に応じた登録・精算を行う電子秤装置及びプログラムへの適用例である。
【０００８】
ここで、図１は実施形態にかかる電子秤装置１をオペレータ側から示す外観斜視図である。図１に示すように、この電子秤装置１は、扁平筐体状のハウジング２の上面全体に重量が測定される商品が載置される載置面である秤皿３を有し、オペレータ側の正面左側に座標入力部であるタッチパネル４を備えた表示部であるディスプレイ５（タッチパネル付き表示装置）を有している。
【０００９】
ディスプレイ５は、薄型のＬＣＤ（Liquid  Crystal  Display）や有機ＥＬ（Electro-Luminescence）を表示部５ａとして構成されている。また、ディスプレイ５には、後述するラベル発行キー（図示せず）などが配設されたキーボード６も設けられている。なお、ハウジング２の内部であって秤皿３の下方位置には、商品の重量を計量して計量値データを出力する計量部として機能するロードセルユニット１６（図２参照）が設けられている。
【００１０】
一方、電子秤装置１には、図１に示すように、オペレータ側と同様に客側にもタッチパネル８を備えた表示部であるディスプレイ９（タッチパネル付き表示装置）が設けられている。ディスプレイ９も、薄型のＬＣＤや有機ＥＬを表示部９ａとして構成されている。したがって、計量部として機能するロードセルユニット１６を挟んだ装置両側にタッチパネル４を備えたディスプレイ５と、タッチパネル８を備えたディスプレイ９が設けられていることになる。
【００１１】
また、ディスプレイ５およびディスプレイ９は、ハウジング２に対して上端部を軸として上下方向に傾け可能（チルト可能）に設けられている。
【００１２】
加えて、電子秤装置１は、２台の印刷装置３０，３１を側方に備えている。２台の印刷装置３０，３１は、図１に示すように、電子秤装置１の左右両側に備えられていても良いし、電子秤装置１の一方の側に並べて備えられていても良い。
【００１３】
印刷装置３０，３１は、ラベルやレシートを発行するための発行口３０ａ，３１ａをハウジング３０ｂ，３１ｂの正面に有する。
【００１４】
印刷装置３０，３１は、用紙を搬送する搬送機構や、搬送機構による搬送過程で用紙に対して印字を行う印字機構、用紙を切断する切断装置等を備えている。搬送機構は、本実施形態では、パルスモータ（図示せず）によって回転駆動したプラテンローラによって用紙を搬送する構成である。印字機構は、本実施形態ではサーマルヘッド（図示せず）によって印字を行う構成である。
【００１５】
印刷装置３０は、印字媒体として長尺状のレシート用紙が適用されたレシートプリンタであって、レシート用紙に対して印字動作を行った後、レシートを発行口３０ａから発行する。すなわち、印刷装置３０は、レシートを印字発行する第１の印刷部として機能する。
【００１６】
また、印刷装置３１は、印字媒体として用紙長尺状の台紙に感熱性の複数のラベルが一列状に配置されたラベル用紙が適用されたラベルプリンタであって、ラベル用紙に対して印字動作を行った後、ラベルを発行口３１ａから発行する。すなわち、印刷装置３１は、ラベルを印字発行する第２の印刷部として機能する。
【００１７】
次に、電子秤装置１に内蔵される各部の電気的接続について図２を参照して説明する。図２に示すように、電子秤装置１には、各種演算処理等を実行して各部を集中的に制御するＣＰＵ（Central  Processing  Unit）１０が設けられている。このＣＰＵ１０には、固定データを格納するFlashＲＯＭ（Read  Only  Memory）１１と、可変データを書換え自在に格納してワークエリア等として利用されるＲＡＭ（Random  Access  Memory）１２とがシステムバス１３を介して接続されている。FlashＲＯＭ１１には、制御プログラム、所定のラベルフォーマットや後述する各種のファイルが格納されている。
【００１８】
なお、電子秤装置１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００１９】
また、電子秤装置１で実行される制御プログラムを、インターネット等のネットワークに接続されたコンピュータ上に格納し、ネットワーク経由でダウンロードさせることにより提供するように構成しても良い。また、電子秤装置１で実行される制御プログラムをインターネット等のネットワーク経由で提供または配布するように構成しても良い。
【００２０】
また、ＣＰＵ１０には、システムバス１３を介してＩ／Ｏポート１４が接続され、このＩ／Ｏポート１４にはＡ／Ｄ変換部１５を介してロードセルユニット１６が接続されている。このロードセルユニット１６は、ロードセル等によって構成され、秤皿３に載置された商品の重量を計量して計量値データを出力する構造のものである。このようなロードセルユニット１６からの出力はアナログ出力であり、このアナログ出力はＡ／Ｄ変換部１５でデジタルデータに変換されてＩ／Ｏポート１４に入力される。そこで、ＣＰＵ１０は、Ｉ／Ｏポート１４に入力されたロードセルユニット１６からの出力データに基づいて、FlashＲＯＭ１１に格納された制御プログラムやファイル等を参照し、ＲＡＭ１２をワークエリアとして使用して、秤皿３に載置された商品の重量を演算によって求めることができる。
【００２１】
加えて、ＣＰＵ１０には、キーボード６を駆動制御するためのキーボードコントローラ１８、ディスプレイ５を駆動制御するディスプレイコントローラ１９、ディスプレイ９を駆動制御するディスプレイコントローラ２０、タッチパネル４を駆動制御するタッチパネルコントローラ２１、及び、タッチパネル８を駆動制御するタッチパネルコントローラ２２もシステムバス１３を介して接続されている。
【００２２】
また、ＣＰＵ１０には、レシートプリンタである印刷装置３０を駆動制御するためのプリンタコントローラ３２、及び、ラベルプリンタである印刷装置３１を駆動制御するためのプリンタコントローラ３３もシステムバス１３を介して接続されている。
【００２３】
ＣＰＵ１０は、ＲＡＭ１２として設けられた画像メモリを利用しつつ、FlashＲＯＭ１１に記憶されていたり画像メモリで合成されたりするイメージ画像データに基づいてディスプレイコントローラ１９，２０を駆動制御する。これにより、ディスプレイ５，９がマトリクス状に備える多数個の液晶シャッタが選択的に開閉駆動され、ディスプレイ５，９にイメージ画像データに基づく画像が表示出力されることになる。
【００２４】
さらに、ＣＰＵ１０は、タッチパネルコントローラ２１，２２を駆動制御し、操作者によりタッチされたタッチパネル４，８上のＸＹ座標の位置を認識して座標データを取得する。これにより、ディスプレイ５，９に表示されるボタン等とタッチパネル４，８の座標との位置関係の同期をとることによって、タッチパネル４とディスプレイ５との組合せ、及び、タッチパネル８とディスプレイ９との組合せは、キーボードと同様の機能を奏することになる。
【００２５】
次に、FlashＲＯＭ１１に格納されている各種のファイルについて説明する。図３はＰＬＵ（Price  Look  Up）ファイルの内容を概念的に示す模式図である。FlashＲＯＭ１１は、記憶部として機能して各種のファイルを書換え自在かつ記憶保持可能な状態で格納する。このようなFlashＲＯＭ１１に格納されるファイルの一部として、本実施の形態では、ＰＬＵファイル１１０を備える。
【００２６】
図３に示すＰＬＵファイル１１０は、概念的には、商品の品番１１１毎に、商品コード１１２、品名１１３、単価１１４、オペレータ側のディスプレイ５に表示されるＰＬＵキー（図示せず）の位置決めのためのキーナンバー１１５、及び、客側のディスプレイ９に表示されるＰＬＵキー（図示せず）の位置決めのためのキーナンバー１１６、付加情報１１７などの各種の情報を対応付けて格納するファイルである。付加情報１１７としては、例えば、加工日時や消費期限、産地、原材料名等が挙げられる。
【００２７】
つまり、ＰＬＵファイル１１０は、少なくとも、商品を特定するための商品特定データとして機能する品番１１１とその商品の単位重量当たりの単価１１４とを対応付けて記憶するファイル構造を備えている。ここで、本実施形態では、単位重量は、例えば１００グラムが採用されている。
【００２８】
次いで、FlashＲＯＭ１１に記憶された制御プログラムに従いＣＰＵ１０が実行する処理について説明する。なお、本実施の形態においては、従来の電子秤装置によって行なわれる処理と同様の処理についてはその説明を省略する。ここでは、売上処理について説明する。
【００２９】
ここで、図４は電子秤装置１における売上処理にかかる機能ブロック図である。図４に示すように、電子秤装置１で実行される制御プログラムは、価格算出手段１０１と、データ作成手段１０２と、レシート発行手段１０３と、ラベル発行手段１０４と、決定手段１０５とを含むモジュール構成となっている。ＣＰＵ１０は、FlashＲＯＭ１１から制御プログラムを読み出して、上記各部をＲＡＭ１２にロードする。これにより、価格算出手段１０１と、データ作成手段１０２と、レシート発行手段１０３と、ラベル発行手段１０４と、決定手段１０５とがＲＡＭ１２上に生成される。
【００３０】
価格算出手段１０１は、単位重量当たりの単価が予め設定されていて重量に応じて値段が決定される商品の単価およびロードセルユニット１６から出力された当該商品の計量値データを用いて、商品の価格を算出する。
【００３１】
データ作成手段１０２は、価格算出手段１０１によって価格を算出した商品に関する情報を含む印字用データを作成する。より詳細には、データ作成手段１０２は、印字用データとして、レシートプリンタである印刷装置３０に対するレシート印字用データと、ラベルプリンタである印刷装置３１に対するラベル印字用データと、をそれぞれ作成する。
【００３２】
レシート発行手段１０３は、印字用データに応じてレシートプリンタである印刷装置３０を制御してレシートを印字発行する。
【００３３】
ラベル発行手段１０４は、印字用データに応じてラベルプリンタである印刷装置３１を制御してラベルを印字発行する。なお、ラベル発行手段１０４は、ラベルプリンタである印刷装置３１を制御してラベルを印字発行するか否かを、選択的に実行可能である。なお、ラベル発行手段１０４は、ラベルを印字発行するか否かが運用に応じて予め決められたファイル（図示せず）に基づき、ラベルを印字発行するか否かを運用に応じて決定する決定手段１０５を備えるようにしても良い。
【００３４】
次に、電子秤装置１における売上処理の流れを図５に示すフローチャートを参照して説明する。
【００３５】
まず、ＣＰＵ１０は、商品の品番の指定を待つ（ステップＳ１）。ＣＰＵ１０は、キーボード６やディスプレイ５の操作によって品番が指定されたと判断した場合（ステップＳ１のＹｅｓ）、その商品の品名１１３や単価１１４などの情報や付加情報１１７（加工日時、消費期限、産地、原材料名等）をＰＬＵファイル１１０から読み出すとともに、所定のラベルフォーマットをFlashＲＯＭ１１から読み出して、それらの商品情報およびラベルフォーマットをＲＡＭ１２に記憶させる（ステップＳ２）。
【００３６】
次に、ＣＰＵ１０は、ディスプレイ５に計量用の表示画面（図示せず）を表示させる（ステップＳ３）。この際、オペレータは、秤皿３に商品を載置する。
【００３７】
そして、ＣＰＵ１０（価格算出手段１０１）は、秤部３から出力される計量値が安定した場合（ステップＳ４のＹｅｓ）、重量算出手段５４および値段算出手段５５として動作して、その計量商品の重量および価格を算出し（ステップＳ５）、表示処理を行う（ステップＳ６）。ステップＳ６では、ＣＰＵ１０は、ディスプレイ５に、計量商品の単価、重量および価格を表示した表示画面を表示させる。
【００３８】
次いで、ＣＰＵ１０（データ作成手段１０２）は、印字用データとして、レシートプリンタである印刷装置３０に対するレシート印字用データと、ラベルプリンタである印刷装置３１に対するラベル印字用データと、をそれぞれ作成する（ステップＳ７）。
【００３９】
より詳細には、ＣＰＵ１０（データ作成手段１０２）は、ステップＳ２でＲＡＭ１２に記憶させた商品情報（品名１１３や単価１１４など）とその計量商品の重量、価格などに基づいてレシート印字用データを作成する。また、ＣＰＵ１０（データ作成手段１０２）は、ステップＳ２で読み出してＲＡＭ１２に記憶させたラベルフォーマットにステップＳ２でＲＡＭ１２に記憶させた商品情報（品名１１３や単価１１４など）や付加情報１１７（加工日時、消費期限、産地、原材料名等）を盛り込んでラベル印字用データを作成する。
【００４０】
次いで、ＣＰＵ１０（レシート発行手段１０３）は、ステップＳ７で作成した印字用データに応じて印刷装置３０を制御し、計量場所において精算処理を行なった証書であるレシートを印字発行する（ステップＳ８）。
【００４１】
加えて、ＣＰＵ１０（ラベル発行手段１０４）は、キーボード６のラベル発行キーが所定時間内に操作された場合には（ステップＳ９のＹｅｓ）、ステップＳ７で作成したラベル印字用データに応じて印刷装置３１を制御してラベルを印字発行する（ステップＳ１０）。
【００４２】
ここで、ステップＳ１０において印字発行されるラベルの例について説明する。
１．客が自宅で商品を管理する用途
客が冷蔵庫に入っている商品を管理するため、印刷装置３１から冷蔵商品の品名、消費期限、原材料などを記入した台紙付きラベルを発行する。客が商品を持ち帰って冷蔵庫に入れる際、冷蔵庫の外壁などにラベルを貼り付ける。これによって、冷蔵庫の中を見なくても、ラベルを見るだけで、冷蔵庫に何が入っているか分かるようになる。
２．惣菜店でレシートと同時にラベル発行
従来、品名や消費期限、原材料などの記載が無い商品を販売している惣菜店では、レシートだけ発行している。本実施形態では、レシートでは客が商品を管理しにくいため、レシートと同時にラベルを発行する。これにより、オペレータは、品名や消費期限、原材料などを印字したラベルを商品に貼付することができるようになる。
３．精肉店でレシートと同時にラベル発行
精肉店では商品にラベルを貼付しているが、トレーに商品が載っている場合は客がトレーの廃却を嫌がるため、店舗にてトレーから出して袋に詰め替えてもらう場合がある。このような場合において、レシートと同時にラベルを印字発行する。これにより、オペレータは、品名や消費期限、原材料などを印字したラベルを商品が入れられた袋に貼付することができるようになる。
【００４３】
なお、本実施形態においては、ＣＰＵ１０（ラベル発行手段１０４）が、キーボード６に設けたラベル発行キーが所定時間内に操作された場合に、ラベル印字用データに応じて印刷装置３１を制御してラベルを印字発行するようにしたが、これに限るものではない。例えば、ＣＰＵ１０（ラベル発行手段１０４）は、ディスプレイ５（タッチパネル付き表示装置）にラベルを印字発行するか否かを選択させるオブジェクトを表示し、タッチパネル４を介した当該オブジェクトに対する操作に応じてラベルを印字発行するか否かを選択させるようにしても良い。
【００４４】
このように、本実施形態の電子秤装置１によれば、レシートプリンタである印刷装置３０からのレシートの印字発行と同時に、ラベルプリンタである印刷装置３１からのラベルの印字発行を行なうようにしたので、他のシステムと連携することが無く、ラベル及びレシートを一度の計量で同時に発行することができる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１        電子秤装置
１６      計量部
３０      第１の印刷部
３１      第２の印刷部
１０１    価格算出手段
１０２    データ作成手段
１０３    レシート発行手段
１０４    ラベル発行手段
１０５    決定手段
【先行技術文献】
【特許文献】
【００４７】
【特許文献１】特開２００２−２１４０２８号公報
【図１】
2015127645.tif 000003
【図２】
2015127645.tif 000004
【図３】
2015127645.tif 000005
【図４】
2015127645.tif 000006
【図５】
2015127645.tif 000007